【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
破壊されたコードストリームを復号化する方法であって、
基礎デジタル画像からのデータを分割セットに分割してエンコーダによってエンコードすると共に、前記分割セット内の前記データの依存性を管理する規則が既知である復号化方法であり、
前記エンコーダによって課された複数の分割を観察する段階と、
エラーに依存した前記エラーに続くデータ中の分割セット内の前記エラーを検知する段階と、
前記分割セット内の前記依存性を分析する段階と、
回収可能な前記分割セット内の前記エラーに続くエンコードされたデータの少なくとも一つのセクションを決定する段階と、
前記分割セット内のエンコードされた画像データの前記セクションを復号化する段階とを含む、復号化方法。
【請求項２】
前記デジタル画像の様々な空間セクションの符号化を可能にするように、或いは非静止の送信元に対してより効率的な圧縮を可能にするように、前記データを分割する、請求項１に記載の方法。
【請求項３】
エンコード中に設定されたあるスイッチの状態に従って前記依存性を分析する、請求項１に記載の方法。
【請求項４】
前記スイッチの前記状態と前記エラーの発生とに従って、回収可能なデータを決定する、請求項３に記載の方法。
【請求項５】
前記スイッチの前記状態に基づいて、前記エラーがどのように前記コードストリーム内を伝播するかを決定する段階と、
前記エラーによって影響されない前記コードストリームのセクションを復号化する段階とを更に含む、請求項４に記載の方法。
【請求項６】
前記コードストリーム内の前記エラーの位置に関する外部情報が利用不可能である、請求項５に記載の方法。
【請求項７】
外部エラー検知が、データセクション内にあるエラーの位置に関する情報を提供する、請求項５に記載の方法。
【請求項８】
ＪＰＥＧ２０００コードストリーム内で前記デジタル画像をエンコードする、請求項１に記載の方法。
【請求項９】
ＪＰＥＧ２０００コードストリームを含んでいるファイルフォーマットでデジタル画像のシーケンスをエンコードする、請求項８に記載の方法。
【請求項１０】
前記ファイルフォーマットがモーションＪＰＥＧ２０００である、請求項９に記載の方法。
【請求項１１】
前記規則が更に分割セット間の依存性を管理すると共に、依存する分割セット内のどのデータを回収できるかを、前記分割セット内の前記エラーの発生に基づいて決定する段階を更に含む、請求項１に記載の方法。
【請求項１２】
破壊されたＪＰＥＧ２０００コードストリームを復号化する方法であって、基礎デジタル画像からのデータを分割セットに分割してＪＰＥＧ２０００エンコーダによって有意性伝播、有意区別、及び一掃パスにエンコードすると共に、分割セット内の依存性を管理する規則が既知である復号化方法であり、
前記ＪＰＥＧ２０００エンコーダによって課された任意の分割を観察する段階と、
エラーに依存した前記エラーに続くデータ中の分割セット内の前記エラーを検知する段階と、
エラーがどのように前記有意性伝播、有意区別、及び一掃パスの間で前記コードストリーム内を伝播するかを決定するために、RESETスイッチの状態及びBYPASSスイッチの状態に従って前記分割セット内の前記依存性を分析する段階と、
回収可能な前記分割セット内の前記エラーに続くエンコードされた画像データの少なくとも一つのセクションを決定する段階と、
前記分割セット内のエンコードされた画像データの前記セクションを復号化する段階とを含む、復号化方法。
【請求項１３】
前記分割セットがコードブロックである、請求項１２に記載の方法。
【請求項１４】
前記データをパケットによって与えられた分割セットに更に分割すると共に、前記規則が更に分割セット間の依存性を管理し、どの依存する分割セットを完全に又は部分的に回収できるかを、前記分割セット内の前記エラーの発生に基づいて決定する段階を更に含む、請求項１３に記載の方法。
【請求項１５】
外部エラー検知が、前記コードストリーム内の前記エラーの位置に関する情報を提供する、請求項１２に記載の方法。
【請求項１６】
以下の段階によって、前記依存性を分析すると共に、エンコードされたデータの回収可能なセクションを決定する方法であって、
所与のコードブロックの任意の有意性伝播パス内でエラーが起き、RESET＝偽、BYPASS＝偽である場合には、前記コードブロック内において、κｓｉｇ及びσ［ｊ］の破壊されていない部分に従って、次の有意区別パス１個の部分を復号化する段階と、
所与のコードブロックの前記有意区別パス内でエラーが起き、RESET＝偽、BYPASS＝偽である場合には、前記コードブロック内において、それ以降の有意区別符号化パスを全て破棄する段階と、他の２種類の符号化パスを復号化する段階と、
所与のコードブロックの前記一掃パス内でエラーが起き、RESET＝偽、BYPASS＝偽である場合には、前記コードブロック内において、それ以降の符号化パスを全て廃棄する段階と、
所与のコードブロックの前記有意性伝播パス内でエラーが起き、RESET＝偽、BYPASS＝真である場合には、前記コードブロック内において、次の有意性伝播パス１個及び次の一掃パス１個を部分的に復号化する段階と、次の有意区別パス１個を完全に復号化する段階と、もう１個の有意区別パスを部分的に復号化する段階と、それ以降の符号化パスを全て破棄する段階と、
所与のコードブロックの前記有意区別パス内でエラーが起き、RESET＝偽、BYPASS＝真である場合には、前記コードブロック内において、現在及び全ての今後の符号化パスを復号化し続ける段階と、
所与のコードブロックの任意の一掃パス内でエラーが起き、RESET＝偽、BYPASS＝真である場合には、前記コードブロック内において、κｓｉｇ及びσ［ｊ］の前記破壊されていない部分に従って、次の有意性伝播パスの部分及び次の有意区別パスの部分を復号化する段階と、
所与のコードブロックの前記有意性伝播パス内でエラーが起き、RESET＝真、BYPASS＝偽である場合には、前記コードブロック内において、κｓｉｇ及びσ［ｊ］の前記破壊されていない部分に従って、それ以降の全ての符号化パスの部分を復号化する段階と、
所与のコードブロックの前記有意区別パス内でエラーが起き、RESET＝真、BYPASS＝偽である場合には、前記コードブロック内において、現在及び全ての今後の符号化パスを復号化し続ける段階と、
所与のコードブロックの任意の一掃パス内でエラーが起き、RESET＝真、BYPASS＝偽である場合には、前記コードブロック内において、κｓｉｇ及びσ［ｊ］の前記破壊されていない部分に従って、それ以降の全ての符号化パスの部分を復号化する段階と、
所与のコードブロックの前記有意性伝播パス内でエラーが起き、RESET＝真、BYPASS＝真である場合には、前記コードブロック内において、もう１個の有意区別パスを完全に復号化する段階と、κｓｉｇ及びσ［ｊ］の前記破壊されていない部分に従って、残りの符号化パスの部分を復号化する段階と、
所与のコードブロックの前記有意区別パス内でエラーが起き、RESET＝真、BYPASS＝真である場合には、前記コードブロック内において、現在及び全ての今後の符号化パスを復号化し続ける段階と、
所与のコードブロックの任意の一掃パス内でエラーが起き、RESET＝真、BYPASS＝真である場合には、前記コードブロック内において、κｓｉｇ及びσ［ｊ］の前記破壊されていない部分に従って、それ以降の全ての符号化パスの部分を復号化する段階とによって、分析及び決定を行う、請求項１５に記載の方法。
【請求項１７】
前記コードストリーム内の前記エラーの位置に関する外部情報が利用不可能である、請求項１２に記載の方法。
【請求項１８】
以下の段階に従って、前記依存性を分析すると共に、エンコードされたデータの回収可能なセクションを決定する方法であって、
所与のコードブロックの任意の有意性伝播パス内でエラーが起き、RESET＝偽、BYPASS＝偽である場合には、前記コードブロック内において、それ以降の符号化パスを全て破棄する段階と、
所与のコードブロックの前記有意区別パス内でエラーが起き、RESET＝偽、BYPASS＝偽である場合には、前記コードブロック内において、それ以降の有意区別符号化パスを全て破棄する段階と、他の２種類の符号化パスを復号化する段階と、
所与のコードブロックの任意の一掃パス内でエラーが起き、RESET＝偽、BYPASS＝偽である場合には、前記コードブロック内において、それ以降の符号化パスを全て廃棄する段階と、
所与のコードブロックの前記有意性伝播パス内でエラーが起き、RESET＝偽、BYPASS＝真である場合には、前記コードブロック内において、それ以降の有意性伝播及び一掃パスを全て破棄する段階と、次の有意区別パスを復号化する段階と、
所与のコードブロックの前記有意区別パス内でエラーが起き、RESET＝偽、BYPASS＝真である場合には、前記コードブロック内において、現在及び全ての今後の符号化パスを復号化し続ける段階と、
所与のコードブロックの任意の一掃パス内でエラーが起き、RESET＝偽、BYPASS＝真である場合には、前記コードブロック内において、それ以降の符号化パスを全て破棄する段階と、
所与のコードブロックの前記有意性伝播パス内でエラーが起き、RESET＝真、BYPASS＝偽である場合には、前記コードブロック内において、それ以降の符号化パスを全て破棄する段階と、
所与のコードブロックの前記有意区別パス内でエラーが起き、RESET＝真、BYPASS＝偽である場合には、前記コードブロック内において、現在及び全ての今後の符号化パスを復号化し続ける段階と、
所与のコードブロックの任意の一掃パス内でエラーが起き、RESET＝真、BYPASS＝偽である場合には、前記コードブロック内において、それ以降の符号化パスを全て破棄する段階と、
所与のコードブロックの前記有意性伝播パス内でエラーが起き、RESET＝真、BYPASS＝真である場合には、前記コードブロック内において、今後の有意性伝播及び一掃パスを破棄する段階と、もう１個の有意区別パスを復号化する段階と、
所与のコードブロックの前記有意区別パス内でエラーが起き、RESET＝真、BYPASS＝真である場合には、前記コードブロック内において、現在及び全ての今後の符号化パスを復号化し続ける段階と、
所与のコードブロックの任意の一掃パス内でエラーが起き、RESET＝真、BYPASS＝真である場合には、前記コードブロック内において、それ以降の符号化パスを全て破棄する段階とに従って、分析及び決定を行う、請求項１７に記載の方法。
【請求項１９】
前記規則が、前記依存性を管理するCAUSALスイッチを更に含む、請求項１２に記載の方法。
【請求項２０】
破壊されたＪＰＥＧ２０００コードストリームを復号化する方法であって、エラーの位置に関する外部情報が利用不可能であると共に、基礎デジタル像からのデータを分割セットに分割して有意性伝播、有意区別、及び一掃パスにエンコードすると共に、前記分割セット内の依存性及び前記分割セット間の依存性を管理する規則がRESET及びBYPASSスイッチの状態によって定義されると共に、以下の段階を含む復号化方法であり、
所与のコードブロックの前記有意性伝播パス内でエラーが起き、RESET＝偽、BYPASS＝偽である場合には、前記コードブロック内において、それ以降の符号化パスを全て破棄する段階と、
所与のコードブロックの前記有意区別パス内でエラーが起き、RESET＝偽、BYPASS＝偽である場合には、前記コードブロック内において、それ以降の有意区別符号化パスを全て破棄する段階と、他の２種類の符号化パスを復号化する段階と、
所与のコードブロックの任意の一掃パス内でエラーが起き、RESET＝偽、BYPASS＝偽である場合には、前記コードブロック内において、それ以降の符号化パスを全て廃棄する段階と、
所与のコードブロックの前記有意性伝播パス内でエラーが起き、RESET＝偽、BYPASS＝真である場合には、前記コードブロック内において、それ以降の有意性伝播及び一掃パスを全て破棄する段階と、次の有意区別パスを復号化する段階と、
所与のコードブロックの前記有意区別パス内でエラーが起き、RESET＝偽、BYPASS＝真である場合には、前記コードブロック内において、現在及び全ての今後の符号化パスを復号化し続ける段階と、
所与のコードブロックの任意の一掃パス内でエラーが起き、RESET＝偽、BYPASS＝真である場合には、前記コードブロック内において、それ以降の符号化パスを全て破棄する段階と、
所与のコードブロックの前記有意性伝播パス内でエラーが起き、RESET＝真、BYPASS＝偽である場合には、前記コードブロック内において、それ以降の符号化パスを全て破棄する段階と、
所与のコードブロックの前記有意区別パス内でエラーが起き、RESET＝真、BYPASS＝偽である場合には、前記コードブロック内において、現在及び全ての今後の符号化パスを復号化し続ける段階と、
所与のコードブロックの任意の一掃パス内でエラーが起き、RESET＝真、BYPASS＝偽である場合には、前記コードブロック内において、それ以降の符号化パスを全て破棄する段階と、
所与のコードブロックの前記有意性伝播パス内でエラーが起き、RESET＝真、BYPASS＝真である場合には、前記コードブロック内において、今後の有意性伝播及び一掃パスを破棄する段階と、もう１個の有意区別パスを復号化する段階と、
所与のコードブロックの前記有意区別パス内でエラーが起き、RESET＝真、BYPASS＝真である場合には、前記コードブロック内において、現在及び全ての今後の符号化パスを復号化し続ける段階と、
所与のコードブロックの任意の一掃パス内でエラーが起き、RESET＝真、BYPASS＝真である場合には、前記コードブロック内において、それ以降の符号化パスを全て破棄する段階とを含む、復号化方法。
【請求項２１】
前記規則が、前記依存性を管理するCAUSALスイッチを更に含む、請求項２０に記載の方法。
【請求項２２】
破壊されたＪＰＥＧ２０００コードストリームを復号化する方法であって、
エラーの位置に関する外部情報が利用可能であると共に、基礎デジタル像からのデータを分割セットに分割して有意性伝播、有意区別、及び一掃パスにエンコードすると共に、前記分割セット内の依存性及び前記分割セット間の依存性を管理する規則がRESET及びBYPASSスイッチの状態によって定義されると共に、以下の段階を含む復号化方法であり、
所与のコードブロックの前記有意性伝播パス内でエラーが起き、RESET＝偽、BYPASS＝偽である場合には、前記コードブロック内において、κｓｉｇ及びσ［ｊ］の前記破壊されていない部分に従って、次の有意区別パス１個の部分を復号化する段階と、
所与のコードブロックの前記有意区別パス内でエラーが起き、RESET＝偽、BYPASS＝偽である場合には、前記コードブロック内において、それ以降の有意区別符号化パスを全て破棄する段階と、他の２種類の符号化パスを復号化する段階と、
所与のコードブロックの任意の一掃パス内でエラーが起き、RESET＝偽、BYPASS＝偽である場合には、前記コードブロック内において、それ以降の符号化パスの全てを廃棄する段階と、
所与のコードブロックの前記有意性伝播パス内でエラーが起き、RESET＝偽、BYPASS＝真である場合には、前記コードブロック内において、次の有意性伝播パス１個及び次の一掃パス１個を部分的に復号化する段階と、次の有意区別パス１個を完全に復号化する段階と、もう１個の有意区別パスを部分的に復号化する段階と、それ以降の符号化パスを全て破棄する段階と、
所与のコードブロックの前記有意区別パス内でエラーが起き、RESET＝偽、BYPASS＝真である場合には、前記コードブロック内において、現在及び全ての今後の符号化パスを復号化し続ける段階と、
所与のコードブロックの任意の一掃パス内でエラーが起き、RESET＝偽、BYPASS＝真である場合には、前記コードブロック内において、κｓｉｇ及びσ［ｊ］の前記破壊されていない部分に従って、次の有意性伝播パスの部分及び次の有意区別パスの部分を復号化する段階と、
所与のコードブロックの前記有意性伝播パス内でエラーが起き、RESET＝真、BYPASS＝偽である場合には、前記コードブロック内において、κｓｉｇ及びσ［ｊ］の前記破壊されていない部分に従って、それ以降の全ての符号化パスの部分を復号化する段階と、
所与のコードブロックの前記有意区別パス内でエラーが起き、RESET＝真、BYPASS＝偽である場合には、前記コードブロック内において、現在及び全ての今後の符号化パスを復号化し続ける段階と、
所与のコードブロックの任意の一掃パス内でエラーが起き、RESET＝真、BYPASS＝偽である場合には、前記コードブロック内において、κｓｉｇ及びσ［ｊ］の前記破壊されていない部分に従って、それ以降の全ての符号化パスの部分を復号化する段階と、
所与のコードブロックの前記有意性伝播パス内でエラーが起き、RESET＝真、BYPASS＝真である場合には、前記コードブロック内において、もう１個の有意区別パスを完全に復号化する段階と、κｓｉｇ及びσ［ｊ］の前記破壊されていない部分に従って、残りの符号化パスの部分を復号化する段階と、
所与のコードブロックの前記有意区別パス内でエラーが起き、RESET＝真、BYPASS＝真である場合には、前記コードブロック内において、現在及び全ての今後の符号化パスを復号化し続ける段階と、
所与のコードブロックの任意の一掃パス内でエラーが起き、RESET＝真、BYPASS＝真である場合には、前記コードブロック内において、κｓｉｇ及びσ［ｊ］の前記破壊されていない部分に従って、それ以降の全ての符号化パスの部分を復号化する段階とを含む復号化方法。
【請求項２３】
前記規則が、前記依存性を管理するCAUSALスイッチを更に含む、請求項２２に記載の方法。
【請求項２４】
画像データを伝送する方法であって、
RESTARTスイッチが可能状態になっているＪＰＥＧ２０００互換エンコーダを用いて、前記画像データをＪＰＥＧ２０００コードストリームへエンコードする段階と、
エラーに影響されやすい通信路上で前記ＪＰＥＧ２０００コードストリームを伝送する段階と、
１つのＪＰＥＧ２０００デコーダを用いて、破壊されたコードストリームを復号化する段階とを含む、伝送方法であり、前記ＪＰＥＧ２０００デコーダが、前記ＪＰＥＧ２０００エンコーダによって課された分割を観察し、前記エラーに続く少なくとも幾つかのデータでの少なくとも一つの分割が前記エラーに依存し、有意性伝播、有意区別、及び一掃パスの間で前記コードストリーム内をエラーがどのように伝播するかを決定するために、前記RESET及びBYPASSスイッチの状態に従って前記分割セット内の依存性を分析し、
エラーが起きる場合には、回収可能な前記分割セット内の前記エラーに続くエンコードされた画像データの少なくとも一つのセクションを決定し、
前記セクションを復号化するように構成されている、伝送方法。
【請求項２５】
前記ＪＰＥＧ２０００コードストリームが複数のパケットを含むと共に、
サーバーに前記パケットを格納する段階と、
エンドユーザの要求に応じて、前記エンドユーザ要求を満たすために必要な前記コードストリームの追加パケットのみを抽出する段階と、
エラーに影響されやすい前記通信路上で前記パケットを伝送する段階と、
破壊されたパケットを復号化する段階とを更に含む、請求項２４に記載の方法。
【請求項２６】
ＪＰＥＧ２０００コードストリーム形式のコンテンツを生成するために用いられる、１つ又は複数のＪＰＥＧ２０００互換画像エンコーダと
各画像の任意のＪＰＥＧ２０００コードストリームを格納するサーバーと、
エラーに影響されやすい通信路を含んでいる配布ネットワークと、
ＪＰＥＧ２０００デコーダを備えた１台又は複数の表示装置とを含む、ＪＰＥＧ２０００画像処理システムであって、前記ＪＰＥＧ２０００デコーダが、
前記ＪＰＥＧ２０００エンコーダによって課された分割を観察し、有意性伝播、有意区別、及び一掃パスの間で前記コードストリーム内をエラーがどのように伝播するかを決定するために、RESET及びBYPASSスイッチの状態に従って分割セット内の依存性を分析し、エラーに依存した前記エラーに続くデータ中の分割内でエラーが起こる場合には、回収可能な前記分割セット内の前記エラーに続くエンコードされた画像データの少なくとも一つのセクションを決定し、前記セクションを復号化するように構成されている、ＪＰＥＧ２０００画像処理システム。
【請求項２７】
前記デコーダが、第２次市場のダウンロード可能なプラグ・インによって上述のように構成されている、請求項２６に記載のシステム。
【請求項２８】
ＪＰＥＧ２０００エンコーダによって課された前記分割を観察し、前記有意性伝播、有意区別、及び一掃パスの間で前記コードストリーム内をエラーがどのように伝播するかを決定するために、前記RESET及びBYPASSスイッチの前記状態に従って前記分割セット内の前記依存性を分析し、エラーに依存した前記エラーに続くデータ中の分割内でエラーが起こる場合には、回収可能な前記分割セット内の前記エラーに続くエンコードされた画像データの少なくとも一つのセクションを決定し、それらのセクションを復号化するように構成されているＪＰＥＧ２０００デコーダを含む、表示装置。
【請求項２９】
前記デコーダが、分割セット間の前記依存性を分析すると共に、エラーが起きる場合には、どの依存する分割セットを回収できるかを決定する、請求項２８に記載の表示装置。